(57)【特許請求の範囲】
【請求項１】
釣り具に巻き付けるベルト本体の少なくとも内面の後端側に止め具を設けると共に前記ベルト本体の外面に前記ベルト本体の内面の後端側の止め具と係合可能な他の止め具を設け、前記ベルト本体の後端側の外面にベルト本体より硬質のカバー体を設け、前記ベルト本体の後端側が内面側に湾曲したことを特徴とする釣り具用ベルト。
【請求項２】
前記ベルト本体の後端側の外面に設けたカバ−体の後端部が前記ベルト本体の内面の後端側の止め具より後側になるように設けたことを特徴とする請求項１記載の釣り具用ベルト。
【発明の詳細な説明】
【技術分野】
【０００１】
本発明は、釣り場に携行する釣竿を束ねて保持したり、予備のスプ−ルに巻回された釣糸が巻き解けないように保持する等に使用する釣り具用ベルトに関する。
【背景技術】
【０００２】
従来から特許文献１のように複数本の釣竿を携帯する時には釣竿を束ねるために、発泡ゴム（クロロプレ−ンゴム）のシ−トの外面の全面にル−プ状に繊維を起立させた面ファスナ−雌部を設け、内面の後端側に鈎状の繊維を起立させた面ファスナ−雄部を設けて両面ファスナ−を係合する柔軟なベルトを釣竿に巻回していた。
【特許文献１】特開平１１−３１８２９７
【発明の開示】
【発明が解決しようとする課題】
【０００３】
解決しようとする問題点は、特許文献１のように、釣竿の竿管の外周に沿って巻回されたベルトの後端側が直線状に延びていると、直線状の後端側が竿管の外周に沿ったベルトの湾曲面から離れてしまうので、他の物に擦れたりするとベルトの後端側から面ファスナ−の係合が離脱される欠点がある。
後端側の内側の面ファスナ−雄部が面ファスナ−雌部に貼着していないと、剥離している面ファスナ−雄部がウェア−などに擦れ合ってウェア−などが傷むことになる。
【０００４】
本発明の目的は上記欠点に鑑み、釣り具に巻き付けて湾曲したベルトに沿って後端側が湾曲するようにして止め具が確実に係合する釣り具用ベルトを提供することである。
【課題を解決するための手段】
【０００５】
本発明の請求項１は、釣り具に巻き付けるベルト本体の少なくとも内面の後端側に止め具を設けると共に前記ベルト本体の外面に前記ベルト本体の内面の後端側の止め具と係合可能な他の止め具を設け、前記ベルト本体の後端側の外面にベルト本体より硬質のカバー体を設け、前記ベルト本体の後端側が内面側に湾曲したことを要旨とするものである。本発明の請求項２は、前記ベルト本体の後端側の外面に設けたカバ−体の後端部が前記ベルト本体の内面の後端側の止め具より後側になるように設けたことを要旨とするものである。
【発明の効果】
【０００６】
本発明により、釣り具の外側に巻回されたベルト本体の後端側のめくり上がりが防止されるので止め具が確実に係合し、ベルト本体が釣り具から離脱することが防止出来る。
【発明を実施するための最良の形態】
【０００７】
釣り具用ベルト１は、発泡ゴム（クロロプレ−ンゴム）で柔軟性を有して伸縮可能なベルト本体２とベルト本体２の後端２ａの内面に設けた止め具３とベルト本体２の後端２ａの外面に設けたカバ−体４とベルト本体２の外面の前端２ｂから後端２ａにかけて設けた他の止め具５で形成されている。
ベルト本体２の後端２ａは止め具３とカバ−体４が設けられ、ベルト本体が内側に湾曲形成されている。
【実施例１】
【０００８】
以下、図示の一実施例によって本発明を説明すると、図１は（ａ）が釣り具用ベルトの平面図で（ｂ）が断面側面図と一部拡大断面側面図、図２は複数の釣り具の釣竿が釣り具用ベルトで束ねられた斜視図、図３は釣り具用ベルトで束ねられた複数の釣り具の釣竿の平面図、図４は止め具に横孔が形成された斜視図である。
【０００９】
釣り具用ベルト１は、発泡ゴム（クロロプレ−ンゴム）で柔軟性を有して伸縮可能なベルト本体２とベルト本体２の後端２ａ側の内面２ｃに縫着で固定された止め具３とベルト本体２の後端２ａ側の外面２ｄに固定されたカバ−体４とベルト本体２の外面の前端２ｂから後面２ａに固定された他の止め具５で形成されている。
ベルト本体２の後端２ａはベルト本体２の内面２ｃに設けた止め具３とベルト本体２の外面２ｄに設けたカバ−体４をベルト本体２を介して向い合わせてベルト本体２の後端２ａが内面２ｃ側に湾曲形成されている。
止め具３は鈎状の繊維を起立させた面ファスナ−雄部で、ベルト本体２の少なくとも内面２ｃの後端側に設けられるが、前端側に延長して設けてもよい。
他の止め具５は止め具３が係合可能であり、ル−プ状にした繊維を起立させた面ファスナ−雌部である。
他の止め具５はベルト本体２の外面の前端２ｂから後端２ａにかけて連続して設けたが、断続的に設けてもよく、また、例えば、ベルト本体２の外面の前端２ｂ側のみに設けるなど一部に設けてもよい。
カバ−体４は皮革や合成樹脂材等を用いてベルト本体２より硬質な材料で形成されている。
カバ−体４の後端部４ａはベルト本体２に固定された止め具３の後端３ａより後側（後端２ａ側）になるように配置されていると共に、カバ−体４の前端４ｂも止め具３の前端３ｂより前側（前端２ｂ側）になるように配置されており、止め具３がベルト本体２に固定されたベルト本体２の外面２ｄの縫着部がカバ−体４で覆われ縫着部のほつれを防止し、また外観を良好にしている。
【００１０】
ベルト本体２の後端２ａは止め具３とカバ−体４を合わせて内面２ｃ側に湾曲形成されているが、湾曲は柔軟性を有するベルト本体２の一状態ではなく、湾曲が強制的に維持されており、後端側が、後端２ａになるにつれて内面２ｃ方向に向かうように曲がっており、円弧状に曲がっているほか、後端側が、折れ曲がって後端２ａが直線状に内面２ｃ方向に向かうものも含む。
湾曲させる手段として、以下のようにするとよい。
イ．ベルト本体２の後端２ａを押圧して硬化すると共に湾曲形成してその湾曲部の内面２ｃに止め具３を設ける。
なお、外面２ｄにカバ−体４を固定してもよいが設けなくてもよい。
この時図４のように止め具３に横孔３ｃを形成して曲がり易くしてもよい。
同様にカバ−体４に横孔を形成して曲がり易くしてもよい。
ロ．止め具３を湾曲形成し、ベルト本体２の後端２ａに固定する。
ハ．カバ−体４を湾曲形成しベルト本体２の後端２ａに固定する。
ニ．ベルト本体２の後端２ａ内面に止め具３を固定する時、ベルト本体２の湾曲状態を維持しながら止め具３を固定することで、ベルト本体２の後端２ａと止め具３を湾曲形成してもよい。
ホ．ベルト本体２の後端２ａ外面にカバ−体４を固定する時、ベルト本体２を伸長状態を維持しながらまたは湾曲状態を維持しながらカバ−体４を固定することで、湾曲形成してもよい。
【００１１】
図３、図４で釣り具の釣竿７、７′、７″が束ねられる時は、ベルト本体２の前端２ｂを釣り具の釣竿７と釣竿７′の間に挾み込み、次に釣竿７に釣竿７′、７″を重ねてその周りにベルト本体２が巻回されて後端の止め具３が他の止め具５に係合され、湾曲形成されたベルト本体２の後端２ａと止め具３とカバ−体４は釣竿７、７′、７″の外側に巻回されたベルト本体２の湾曲に密着される。
尚、釣り具用ベルト１は釣り具に巻回された時、内側になるのがベルト本体２の内面２ｃで、外側になるのがベルト本体２の外面２ｄであり、また、釣り具に巻回を開始する一端が前端２ｂで、釣り具への巻回を終了する他端が後端２ａである。
【００１２】
前記のように釣り具用ベルト１が構成されると、ベルト本体２の後端２ａが釣り具である釣竿７、７′、７″の外側に巻回されたベルト本体２の外側の湾曲形状と同様の方向に湾曲しているためベルト本体２の外側に沿って添設され、後端２ａのめくり上がりが防止され、他の物に擦れて止め具３が他の止め具５から離脱することが防止出来る。
束ねられた釣り具の釣竿７、７′、７″が緩むことがないので脱落することがない。
【産業上の利用可能性】
【００１３】
本発明は釣り具用ベルト全般に利用できる。
【図面の簡単な説明】
【００１４】
【図１】（ａ）が釣り具用ベルトの平面図で（ｂ）が断面側面図と一部拡大断面側面図である。
【図２】複数の釣り具の釣竿が釣り具用ベルトで束ねられた斜視図である。
【図３】釣り具用ベルトで束ねられた複数の釣り具の釣竿の平面図である。
【図４】止め具に横孔が形成された斜視図である。
【符号の説明】
【００１５】
１  釣り具用ベルト
２  ベルト本体
２ａ  後端
３  止め具
４  カバ−体
４ａ  カバ−体の後端部
５  他の止め具
【図１】
0004528949.tif 000002
【図２】
0004528949.tif 000003
【図３】
0004528949.tif 000004
【図４】
0004528949.tif 000005